(57)【要約】【課題】  漢字表示は可能としつつも、漢字変換機能を非搭載としつつ、かつ、漢字入力の利便性を低下させないようにする。【解決手段】  番組の編集画面には、編集画面であることを示すステータス表示欄、動画表示欄、編集補助欄、タイトル編集欄、再生場所を示す再生タイミング欄、操作ボタンを示す操作指示欄があり、編集補助欄には、文字種の表示の下に漢字表示領域が設けられている。この漢字表示領域では、上段の削除漢字領域と、下段の一般漢字領域とに別れており、削除漢字領域はタイトルの編集中に削除された漢字が表示され、一般漢字領域には後述するようにして抽出された漢字が表示されている。タイトル編集部１８は、タイトル編集欄での編集を司り、文字の受付、ローマ字変換、漢字表示領域の中から漢字を選択してタイトルに挿入する漢字挿入、タイトルの文字の追加と削除などを行なう。【選択図】  図２
2011109169.tif 000002
【特許請求の範囲】
【請求項１】
放送波を受信可能な受信手段と、
動画の記録及び再生が可能な動画記録再生手段と、
放送波の中から番組情報を抽出する番組情報抽出手段と、
上記抽出された番組情報の中のタイトルを得て、同タイトルを録画する動画の付随情報として記録させるタイトル記録手段と、
上記タイトルを編集するタイトル編集手段と、
時刻を計時するタイマー手段と、
上記受信手段と上記動画記録再生手段と上記タイトル記録手段と上記タイトル編集手段と上記タイマー手段とを制御して、放送波の受信と表示、記録及び再生などを制御する制御手段とを具備し、
上記タイトル編集手段は、ローマ字変換機能を有し、漢字変換機能を備えず、所定の漢字をタイトルに利用できるようにする漢字編集機能を備えることを特徴とするテレビ放送用記録再生装置。
【請求項２】
上記漢字編集機能は、タイトルの編集作業中に削除した漢字を復活させる取消機能を有することを特徴とする請求項１に記載のテレビ放送用記録再生装置。
【請求項３】
上記漢字編集機能は、漢字を表示する漢字表示領域を設け、表示されている漢字を選択してタイトルに入力する機能を有することを特徴とする請求項２に記載のテレビ放送用記録再生装置。
【請求項４】
上記漢字編集機能は、タイトルから漢字を削除したときには、上記漢字表示領域に加えることを特徴とする請求項２または請求項３に記載のテレビ放送用記録再生装置。
【請求項５】
上記漢字編集機能は、上記漢字表示領域には、使用頻度の多い漢字を予め表示しておくことを特徴とする請求項２〜請求項４のいずれかに記載のテレビ放送用記録再生装置。
【請求項６】
上記漢字編集機能は、使用頻度の多い漢字として番組情報の中から抽出することを特徴とする請求項５に記載のテレビ放送用記録再生装置。
【請求項７】
上記漢字編集機能は、使用頻度の多い漢字として番組情報の中から出演者の漢字を抽出することを特徴とする請求項５または請求項６に記載のテレビ放送用記録再生装置。
【請求項８】
上記漢字編集機能は、使用頻度の多い漢字として動画のジャンルを表す漢字を選択しておくことを特徴とする請求項５〜請求項７のいずれかに記載のテレビ放送用記録再生装置。
【請求項９】
放送波を受信可能な受信手段と、
動画の記録及び再生が可能な動画記録再生手段と、
放送波の中から番組情報を抽出する番組情報抽出手段と、
上記抽出された番組情報の中のタイトルを得て、同タイトルを録画する動画の付随情報として記録させるタイトル記録手段と、
上記タイトルを編集するタイトル編集手段と、
時刻を計時するタイマー手段と、
上記受信手段と上記動画記録再生手段と上記タイトル記録手段と上記タイトル編集手段と上記タイマー手段とを制御して、放送波の受信と表示、記録及び再生などを制御する制御手段とを具備し、
上記タイトル編集手段は、ローマ字変換機能を有し、漢字変換機能を備えず、所定の漢字をタイトルに利用できるようにする漢字編集機能を備え、
上記漢字編集機能は、
タイトルの編集作業中に削除した漢字を復活させる取消機能を有するとともに、
漢字を表示する漢字表示領域を設け、表示されている漢字を選択してタイトルに入力する機能を有し、
タイトルから漢字を削除したときには、上記漢字表示領域に加え、
上記漢字表示領域には、使用頻度の多い漢字を予め表示するものとし、
この使用頻度の多い漢字として、番組情報の中から抽出するとともに、番組情報の中の出演者の漢字を抽出し、また、動画のジャンルを表す漢字を選択しておくことを特徴とするテレビ放送用記録再生装置。
【発明の詳細な説明】
【技術分野】
【０００１】
本発明は、テレビ放送用記録再生装置に関し、特に、テレビジョン方式の細部であって、テレビジョン信号をディスクドライブなどに記録するテレビ放送用記録再生装置に関する。
【背景技術】
【０００２】
従来、録画番組への文字入力を行うものとして、以下のものが知られている。
特許文献１には、文字を構成する動きを撮影してその撮影の結果に基づいて文字を認識する映像記録再生装置のタイトル入力システムが開示されている。
特許文献２には、編集（例えば、タイトルの挿入並びに、フェードイン／フェードアウト及び二画面合成などの特殊効果など）制御情報がサブコードとして映像／音声情報と一緒にビデオ・テープ（１０）に記録される記録再生装置の構成が開示されている。
【０００３】
特許文献３には、漢字を含む情報がディジタル放送または地上アナログ放送によっても送信されるようになったという環境の変化に対応して、新たに取得可能となった情報をも有効に活用すべく、番組タイトルを含むタイトル情報を表示可能なタイトル表示部を備えている記録再生装置が開示されている。
特許文献４には、ディスク名などの文字データがユーザによりカタカナや漢字に予め変換されると、その変換後の文字データがＵＴＯＣ１のカタカナエリアあるいはＵＴＯＣ４の漢字エリアに記録可能であるかを判定し、その判定結果に応じて上記文字データを記録する記録再生装置が開示されている。
【先行技術文献】
【特許文献】
【０００４】
【特許文献１】特開２００８−１０８０５１号公報
【特許文献２】特開平８−７０４２１号公報
【特許文献３】特開２００９−１７００９０号公報
【特許文献４】特開２００２−３５８７２２号公報
【発明の概要】
【発明が解決しようとする課題】
【０００５】
通常、日本モデルでは漢字変換可能であるが、漢字変換の機能を提供するためには、その機能及び辞書のためのメモり容量が必要となり、辞書購費用もかさむ。
本発明は、漢字表示は可能としつつも、漢字変換機能を非搭載としつつ、かつ、漢字入力の利便性を低下させないようにする。
【課題を解決するための手段】
【０００６】
本発明は、放送波を受信可能な受信手段と、動画の記録及び再生が可能な動画記録再生手段と、放送波の中から番組情報を抽出する番組情報抽出手段と、上記抽出された番組情報の中のタイトルを得て、同タイトルを録画する動画の付随情報として記録させるタイトル記録手段と、上記タイトルを編集するタイトル編集手段と、時刻を計時するタイマー手段と、上記受信手段と上記動画記録再生手段と上記タイトル記録手段と上記タイトル編集手段と上記タイマー手段とを制御して、放送波の受信と表示、記録及び再生などを制御する制御手段とを具備し、上記タイトル編集手段は、ローマ字変換機能を有し、漢字変換機能を備えず、所定の漢字をタイトルに利用できるようにする漢字編集機能を備える構成としてある。
【０００７】
かかる構成において、制御手段による制御のもとで、タイマー手段は時刻を計時し、受信手段は放送波を受信し、動画記録再生手段は動画の記録及び再生を行ない、番組情報抽出手段は放送波の中から番組情報を抽出する。また、タイトル記録手段は、上記抽出された番組情報の中のタイトルを得て、同タイトルを録画する動画の付随情報として記録させる。すなわち、通常であれば番組情報の中のタイトルを利用することでタイトルを付随情報として記録させることはできる。また、タイトル編集手段はそのようなタイトルを編集する。ここで、上記タイトル編集手段は、タイトルの編集に際して、ローマ字変換機能を有し、漢字変換機能を備えず、所定の漢字をタイトルに利用できるようにする漢字編集機能を備えている。このため、ローマ字変換の最小限の機能は有するものの、漢字に変換するための漢字辞書及び漢字変換の機能などは備えておらず、そのためのメモリの容量の占有や、辞書の購入費用を要しない。その一方、所定の漢字については漢字変換を経ることなく利用できるようにして、漢字変換が無いことの不便さを解消している。
【０００８】
また、上記漢字編集機能は、タイトルの編集作業中に削除した漢字を復活させる取消機能を有する構成としても良い。
タイトルに含まれる漢字は漢字変換を要することなく利用可能であるが、編集作業中に誤って削除してしまうことがある。このため、漢字については削除しても復活できるようにしている。
さらに、上記漢字編集機能は、漢字を表示する漢字表示領域を設け、表示されている漢字を選択してタイトルに入力する機能を有する構成としても良い。
ひらがななどから漢字への漢字変換がないとしても、漢字表示領域に必要になりそうな漢字を予め表示し、この漢字表示領域の中から選択してタイトルに入力できるようにすることで、不便さを解消する。
【０００９】
さらに、上記漢字編集機能は、タイトルから漢字を削除したときには、上記漢字表示領域に加える構成としても良い。
すなわち、削除した漢字を漢字表示領域に表示し、その中から選択するという形で復活させる。
さらに、上記漢字編集機能は、上記漢字表示領域には、使用頻度の多い漢字を予め表示しておく構成としても良い。
もともと、漢字表示領域は有限であり、全ての漢字を表示することはできないが、使用頻度の多い漢字を選択して表示しておくことにより、使用できなくなる可能性を低減できる。
【００１０】
さらに、上記漢字編集機能は、使用頻度の多い漢字として番組情報の中から抽出する構成としても良い。
番組情報には、タイトルの編集に利用できる漢字が多く含まれると考えられるからである。
さらに、上記漢字編集機能は、使用頻度の多い漢字として番組情報の中から出演者の漢字を抽出する構成としても良い。
タイトルの編集には、出演者を含めることが考えられるので、そのような漢字を容易に使えるようになる。
さらに、上記漢字編集機能は、使用頻度の多い漢字として動画のジャンルを表す漢字を選択しておく構成としても良い。
タイトルの編集には、ジャンルを含めることが考えられるので、そのような漢字を容易に使えるようになる。
【００１１】
この他、上記構成を組み合わせることで、放送波を受信可能な受信手段と、動画の記録及び再生が可能な動画記録再生手段と、放送波の中から番組情報を抽出する番組情報抽出手段と、上記抽出された番組情報の中のタイトルを得て、同タイトルを録画する動画の付随情報として記録させるタイトル記録手段と、上記タイトルを編集するタイトル編集手段と、時刻を計時するタイマー手段と、上記受信手段と上記動画記録再生手段と上記タイトル記録手段と上記タイトル編集手段と上記タイマー手段とを制御して、放送波の受信と表示、記録及び再生などを制御する制御手段とを具備し、上記タイトル編集手段は、ローマ字変換機能を有し、漢字変換機能を備えず、所定の漢字をタイトルに利用できるようにする漢字編集機能を備え、上記漢字編集機能は、タイトルの編集作業中に削除した漢字を復活させる取消機能を有するとともに、漢字を表示する漢字表示領域を設け、表示されている漢字を選択してタイトルに入力する機能を有し、タイトルから漢字を削除したときには、上記漢字表示領域に加え、上記漢字表示領域には、使用頻度の多い漢字を予め表示するものとし、この使用頻度の多い漢字として、番組情報の中から抽出するとともに、番組情報の中の出演者の漢字を抽出し、また、動画のジャンルを表す漢字を選択しておく構成としても良い。
【発明の効果】
【００１２】
本発明よれば、漢字表示は可能だが、漢字変換機能を非搭載とすることでメモリ削減、変換辞書の費用削減をすることができる。特に、タイトル名編集時に使用する漢字変換機能は使用頻度が低いため、漢字変換機能を削除しても利便性の低下はさほどない。さらに、所定の漢字については漢字変換を経ることなく利用できるようにして、漢字変換が無いことの不便さを解消できる。
この他、従来技術においても、漢字変換機能は搭載せず、ひらがな及びカタカナ入力は可とする構成に関しては開示されていない。
【図面の簡単な説明】
【００１３】
【図１】本発明の番組情報取得装置が搭載されるテレビ放送用記録再生装置のブロック図である。
【図２】録画された番組の編集画面を示す図である。
【図３】漢字表示領域を示す図である。
【図４】タイトル編集の概略の処理内容を示すフローチャートである。
【図５】番組情報の中から使用頻度の多い漢字を抽出する処理を示すフローチャートである。
【図６】使用頻度の多い漢字を選択して用意しておく例を示す図である。
【発明を実施するための形態】
【００１４】
以下、添付図面にもとづいて本発明の実施形態を説明する。
図１は、本発明の番組情報取得装置が搭載されるテレビ放送用記録再生装置のブロック図である。
同図において、チューナ１０は放送波を受信する受信回路であり、本実施形態では地上波デジタル放送、地上波アナログ放送を受信可能である。チューナ１０は制御回路１１からの制御に従って、放送波の種類および受信するチャンネルを指定される。放送波の種類およびチャンネルが指定されると、チューナ１０は同チャンネルの放送信号を受信し、映像信号および音声信号を出力する。これらの映像音声信号は、外部のテレビジョンに出力され、また、後述する記録再生ユニットにて記録されることになる。なお、チューナ１０は受信手段に相当する。
【００１５】
また、放送信号には番組情報（ＥＰＧ）のデータが含まれており、受信された放送信号に基づいてＥＰＧデータ取得回路１２が、番組情報を抽出する。番組情報には、各チャンネル毎に独立して送信されており、また、番組の中身の情報に加えて日時の情報が含まれている。ＥＰＧデータ取得回路１２は制御回路１１からの制御信号に基づいて放送信号から番組情報を抽出すると、同番組情報を制御回路１１に出力する。制御回路１１は、予めチューナ１０に対して受信すべき放送波の種類とチャンネルを指定しており、この番組情報が何チャンネルの番組に相当するか判別可能である。また、個々の番組毎に、その番組のタイトル、日時、内容、出演者の情報に識別することもできる。
この意味で、ＥＰＧデータ取得回路１２は、各チャンネル毎に放送波を受信して、放送波の中から番組情報を抽出する番組情報抽出手段に相当する。
【００１６】
番組情報はフラッシュメモリ１３に記憶され、必要に応じて番組の付随情報として記録再生ユニットで記録される。フラッシュメモリ１３は番組情報のみならず、チャンネルの情報、録画予約の情報など、種々の情報の記録に利用されている。
一方、番組の録画や再生に利用される記録再生ユニットとしてハードディスクドライブ１４と、ＤＶＤドライブ１５が備えられており、さらに、タイマー録画再生に対応すべく日時を含めた時刻を計時するタイマー回路１６を備えている。制御回路１１はユーザーの操作および録画予約情報などに基づいて、これらの記録再生ユニットに対する録画および再生を制御している。この意味で、ハードディスクドライブ１４やＤＶＤドライブ１５は動画記録再生手段に相当する。
タイトル記録部１７は、フラッシュメモリ１３に記録されている番組情報を利用し、録画された番組のタイトルを番組の付随情報として上記ハードディスクドライブ１４やＤＶＤドライブ１５に記録させる。また、タイトル編集部１８は、同タイトルの編集を行なう。
【００１７】
図２は録画された番組の編集画面を示している。上段から編集画面であることを示すステータス表示欄、その下の左側は動画表示欄、その右側は編集補助欄、その下はタイトル編集欄、その下は再生場所を示す再生タイミング欄、その下は操作ボタンを示す操作指示欄である。
編集補助欄には、上の方に「全角かな」、「全角カナ」、「半角カナ」、「記号英字」、「数字」と表示され、文字種変更の指示を受けて、これから入力される文字種の前にチェックマークが表示されるようになっている。また、これらの文字種の表示の下には漢字表示領域が設けられている。
【００１８】
図３はこの漢字表示領域を示している。漢字表示領域は、上段の削除漢字領域と、下段の一般漢字領域とに別れており、削除漢字領域にはタイトルの編集中に削除された漢字が表示され、一般漢字領域には後述するようにして抽出された漢字が表示されている。
【００１９】
タイトル編集部１８は、後述する操作を制御してタイトル編集欄での編集を司る。主な編集は文字種の変更、文字の受付、ローマ字変換、漢字表示領域の中から漢字を選択してタイトルに挿入する漢字挿入、タイトルの文字の追加と削除などである。すなわち、ローマ字変換機能を有するものの、漢字変換機能を備えず、所定の漢字をタイトルに利用できるように挿入する機能を備えている。この漢字をタイトルに利用できるようにする漢字編集機能については後述する。
【００２０】
なお、これらの操作はリモコンのボタン操作によって行なう。そして、編集された結果をタイトル記録部１７が上述したようにして上記ハードディスクドライブ１４やＤＶＤドライブ１５に記録する。また、編集を行わない段階では、番組情報に含まれるタイトルがそのまま記録される。
このように、制御回路１１は、チューナ１０、ＥＰＧデータ取得回路１２、フラッシュメモリ１３、ハードディスクドライブ１４、ＤＶＤドライブ１５、タイマー回路１６、タイトル記録部１７、タイトル編集部１８などを制御しており、上記受信手段と上記動画記録再生手段と上記タイトル記録手段と上記タイトル編集手段と上記タイマー手段とを制御して、放送波の受信と表示、記録及び再生などを制御する制御手段に相当する。
【００２１】
図４は、タイトル編集の概略の処理内容を示すフローチャートである。
ステップ２１は編集操作を受け付けており、ステップ２２では編集内容に応じて処理を分岐させる処理であり、リモコンの操作に応じて、ステップ２３の「文字追加」、ステップ２４の「カーソル移動」、ステップ２５の「文字削除」の処理に分岐させる。「文字追加」は、リモコンから入力される文字の追加と、漢字表示領域の中の漢字を選んで追加する文字の追加とに対応している。また、「カーソル移動」はタイトル編集欄の中での左右のカーソル移動に加え、漢字表示領域の中で漢字を選択する際のカーソル移動に対応する。
【００２２】
一方、「文字削除」では、一般的な文字の削除に加え、ステップ２６にて削除された文字が漢字であるか否かを判断し、漢字である場合にはステップ２７にて削除した漢字を漢字表示領域へ追加する処理を行う。上述したように漢字表示領域の上欄は削除漢字領域となっており、漢字が削除されるといったんこの削除漢字領域に表示される。また、追加していくと領域が一杯になるが、古いものから削除し、新たに削除した漢字を挿入していく。新たに追加された漢字は次の文字追加での対象となる。この意味で、削除した漢字を漢字表示領域に追加する機能は、タイトルの編集作業中に削除した漢字を復活させる取消機能に相当する。
そして、一つの編集操作の後、ステップ２８にて編集が終了したか否かを判断し、終了していなければステップ２１にて編集操作の受付を行ない、終了していれば編集を終了する。
漢字表示領域における下段の一般漢字領域の漢字は、予め使用頻度の多い漢字を表示している。
【００２３】
ここで、図５は番組情報の中から使用頻度の多い漢字を抽出する処理を示しており、タイトル編集部１８が漢字表示領域を更新する処理の一環として実行している。
ステップ３１ではＥＰＧデータから漢字を抽出する。上述したように、ＥＰＧデータ取得回路１２が取得した番組情報はフラッシュメモリ１３に番組表として記録されている。タイトル編集部１８はフラッシュメモリ１３内を参照し、漢字だけを抽出して別のワークエリアにコピーする。そして、ステップ３２にて番組情報内でのデータの種別ごとにソートを行う。すなわち、番組のタイトルであるのか、番組の出演者であるのか、番組の内容であるのかに分ける。そして、ソートは個別の漢字としてのソートに加え、頻度の多いものから順に並べ替えることまで行う。そして、種別毎、頻度の多い順へと並べ替えた漢字をステップ３３にて漢字表示領域へ表示させる。
【００２４】
このようにして漢字表示領域には、使用頻度の多い漢字を予め表示しておくことを前提としつつ、この使用頻度の多い漢字として番組情報の中から抽出したり、さらに種別に分けて出演者の漢字を抽出したりすることができる。
【００２５】
一方、図６はタイトル編集を考慮して予め使用頻度の高い漢字を選択しておく例を示している。タイトル編集では、年月日、曜日を加えることが多い。また、都市名なども多い。さらに、録画内容を分類すべくジャンルに関する漢字も多い。このように使用頻度の多い漢字を予め分類して用意しておき、ユーザーの操作に応じていずれかを選択できるようにする。
このようにして漢字領域に表示する漢字のセットを選択できるようにしておけば、表示数が限られる漢字表示領域を効率よく利用できるようになる。
以上説明したように、ＥＰＧデータから番組名（タイトル）を取得できるため、自分でタイトル名の編集を行うことは稀れであり、漢字変換・入力機能を省くことで、メモリ削減、費用削除を実現できる。
また、本実施形態では、番組の編集画面には、編集画面であることを示すステータス表示欄、動画表示欄、編集補助欄、タイトル編集欄、再生場所を示す再生タイミング欄、操作ボタンを示す操作指示欄があり、編集補助欄には、文字種の表示の下に漢字表示領域が設けられている。この漢字表示領域では、上段の削除漢字領域と、下段の一般漢字領域とに別れており、削除漢字領域はタイトルの編集中に削除された漢字が表示され、一般漢字領域には後述するようにして抽出された漢字が表示されている。タイトル編集部１８は、タイトル編集欄での編集を司り、文字の受付、ローマ字変換、漢字表示領域の中から漢字を選択してタイトルに挿入する漢字挿入、タイトルの文字の追加と削除などを行なう。
【００２６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００２７】
１０…チューナ、１１…制御回路、１２…ＥＰＧデータ取得回路、１３…フラッシュメモリ、１４…ハードディスクドライブ、１５…ＤＶＤドライブ、１６…タイマー回路、１７…タイトル記録部、１８…タイトル編集部。
【図１】
2011109169.tif 000003
【図２】
2011109169.tif 000004
【図３】
2011109169.tif 000005
【図４】
2011109169.tif 000006
【図５】
2011109169.tif 000007
【図６】
2011109169.tif 000008